(57)【要約】      （修正有）【課題】イベントの雰囲気を一層効果的に演出できるイベント用演出装置を提供する。【解決手段】ローソク部２が載置される磁気ディスク４と、電磁石を備えたベース部５と、を有し、磁気ディスクとベース部との間に発生する磁力によって、ローソク部をベース部上で浮揚させる構成とした。ローソク部が空中に浮揚している演出をすることができるので、例えば、イベントが葬儀である場合には、故人を追悼する上での幻想的な雰囲気を一層効果的に演出することができる。【選択図】図１
0003212356.tif 000002
【実用新案登録請求の範囲】
【請求項１】
演出対象物が載置される磁性体と、電磁石を備えるベース部と、を有し、
前記磁性体と前記ベース部との間に発生する磁力によって、前記演出対象物を前記ベース部上で浮揚させることを特徴とするイベント用演出装置。
【請求項２】
前記演出対象物は、有底筒状の容器を有しており、
前記演出対象物は、前記容器の底板が前記磁性体と当接していることを特徴とする請求項１に記載のイベント用演出装置。
【請求項３】
前記ベース部には、前記容器を照らす照明が設けられていることを特徴とする請求項２に記載のイベント用演出装置。
【請求項４】
前記ベース部は上面視において矩形形状を成しており、
前記照明は、前記ベース部の四隅近傍に設けられていることを特徴とする請求項３に記載のイベント用演出装置。
【考案の詳細な説明】
【技術分野】
【０００１】
本考案は、イベント用演出装置に関する。
【背景技術】
【０００２】
例えば、イベントの一種である葬儀では、祭壇の周辺に灯篭や照明灯等の各種照明装置を配置し、葬儀会場に荘厳感を醸し出すことにより、故人を追悼する上での幻想的な雰囲気を演出している（例えば、特許文献１）。
【先行技術文献】
【特許文献】
【０００３】
【特許文献１】特開２００２−２２３９３２
【考案の概要】
【考案が解決しようとする課題】
【０００４】
本考案は、故人を追悼する上での幻想的な雰囲気を一層効果的に演出することを目的とするものである。
【課題を解決するための手段】
【０００５】
本考案は、
演出対象物が載置される磁性体と、電磁石を備えるベース部と、を有し、
前記磁性体と前記ベース部との間に発生する磁力によって、前記演出対象物を前記ベース部上で浮揚させる構成とした。
【考案の効果】
【０００６】
本考案によれば、演出対象物が空中に浮揚することで、視覚的に有効な演出をすることができる。よって、例えば葬儀の演出の場合には、故人を追悼する上での幻想的な雰囲気を一層効果的に演出することができる。
【図面の簡単な説明】
【０００７】
【図１】イベント用演出装置を説明する図である。
【図２】実施の形態にかかるローソク部を説明する図である。
【図３】実施の形態にかかるベース部を説明する図である。
【図４】変形例にかかるイベント用演出装置を説明する図である。
【図５】変形例にかかるイベント用演出装置を説明する図である。
【０００８】
以下、本考案の実施の形態を説明する。
図１は、実施の形態にかかるイベント用演出装置１を説明する図である。なお、イベント用演出装置１が使用されている状態を把握し易くするために、水平面６ａを有する台座６に載置された状態を示してある。
【０００９】
［イベント用演出装置１］
図１に示すように、実施の形態にかかるイベント用演出装置１は、例えば葬儀の場を演出する（以下、葬儀用演出装置１と標記する）。葬儀用演出装置１は、ローソクの火の明かりにより葬儀の場を演出するローソク部２と、ローソク部２を載置する磁気ディスク４と、磁気ディスク４を磁気浮揚させるベース部５と、から構成される。これらローソク部２と、磁気ディスク４と、ベース部５は、鉛直方向に沿う軸線Ｘ上に配置されている。
【００１０】
図２は、実施の形態にかかるローソク部２を説明する図である。
図２の（ａ）は、図１におけるローソク部２のＡ−Ａ矢視図である。
図２の（ｂ）は、図２の（ａ）におけるＡ−Ａ断面を説明する図である。
【００１１】
［ローソク部２］
図２の（ａ）に示すように、ローソク部２は、有底筒状の燭台３内に固形蝋２０を充填し、この固形蝋２０に芯２１を取り付けて構成されているものである。
なお、実施の形態にかかるローソク部２では、固形蝋３０に芯２１が３つ取り付けられているが、これに限定されるものではない。
【００１２】
燭台３は底板３５と、当該底板３５の全周を囲む周壁部３６とを有する有底筒状部材である。燭台３は、底板３５の厚み方向を軸線Ｘ方向に沿わせて配置される。周壁部３６は、軸線Ｘ方向で底板３５から上方に離れるに連れて外広がりとなるように傾斜している（図２の（ｂ）参照）。これら底板３５と周壁部３６は、断熱材や難燃材で構成されている。
【００１３】
図２の（ｂ）に示すように、底板３５には、軸線Ｘ方向における周壁部３６とは反対側の面３５ａの中央部に凹部３５０が形成されている。凹部３５０は、軸線Ｘ方向に深さＬを有し、軸線Ｘに直交する方向に内径ｒを有する略円筒形状をなしている。軸線Ｘ方向における凹部３５０の底面３５１は、軸線Ｘに直交する平坦面である。この凹部３５０には、軸線Ｘ方向で磁気ディスク４が内嵌されている。
【００１４】
［磁気ディスク４］
磁気ディスク４は、円板形状をなす磁性体である。図２の（ｂ）に示すように、磁気ディスク４は厚み方向を軸線Ｘ方向に沿わせた向きで凹部３５０に内嵌されている。磁気ディスク４の軸線Ｘ方向の一方側の面４ａと他方側の面４ｂは、軸線Ｘ方向に直交する平坦面となっている。磁気ディスク４は、軸線Ｘ方向に凹部３５０の深さＬよりも僅かに大きい厚みＴを有し（Ｔ＞Ｌ）、軸線Ｘ方向に直交する方向に凹部３５０の内径ｒと整合する外径を有している。
【００１５】
磁気ディスク４は、当該磁気ディスク４の軸線Ｘ方向の一方側の面４ａ側が凹部３５０に内嵌され、他方側の面４ｂ側が底板３５から僅かに突出する（図２の（ｂ）中、下側）。この状態において、軸線Ｘ方向の一方側の面４ａは、凹部３５０の底面３５１と全面に亘って当接し、他方側の面４ｂは、軸線Ｘ方向で後記するベース部５に対向する。
【００１６】
［ベース部５］
図３は、実施の形態にかかるベース部５を説明する図である。
図３の（ａ）は、図１におけるベース部５のＢ−Ｂ矢視図である。
図３の（ｂ）は、ベース部５の側面図である。
なお、図３の（ｂ）では、ベース部５とローソク部２との位置関係を把握し易くするために、ローソク部２及び磁気ディスク４を仮想線で記載してある。また、照明５２は発光している状態を記載してある。
【００１７】
図３の（ａ）に示すように、ベース部５は上面視において矩形形状を成す箱状部材である。ベース部５は高さ方向を軸線Ｘ方向に沿わせた向きで配置される。
図３の（ｂ）に示すように、このベース部５の軸線Ｘ方向における一方側の面５ａは、軸線Ｘ方向に直交する平坦面となっている。この一方側の面５ａは、前記した磁気ディスク４の軸線Ｘ方向の他方側の面４ｂと対向する。
なお、実施の形態にかかるベース部５は、上面視において矩形形状を成しているが、これに限定されるものではない。例えば、上面視において円形や多角形であっても良い。
【００１８】
ここで、箱状部材であるベース部５の内部には、図示しない電磁石が収容されている。ベース部５の側壁５１に設けられた電力供給線５０からこの電磁石に電力が供給されると、ベース部５周りに磁場（図示せず）が発生する。
【００１９】
磁気ディスク４は、ベース部５周りに発生した磁場に反発する磁場を有している。従って、ベース部５周りに磁場を発生させた状態で、当該ベース部５の一方側の面５ａの上方に磁気ディスク４を位置させると、磁気ディスク４には軸線Ｘ方向に沿ってベース部５から離れる方向に磁力（斥力）が作用する。
【００２０】
そして、図３の（ｂ）の仮想線で示すように、磁気ディスク４を内嵌したローソク部２は、軸線Ｘ方向における磁力（斥力）と重力がつり合う位置において静止（浮揚）する。
この場合、軸線Ｘ方向におけるローソク部２の浮揚距離Ｈは、磁気ディスク４の他方側の面４ｂとベース部５の一方側の面５ａとの間の距離である。
【００２１】
［照明５２］
図３の（ａ）に示すように、ベース部５は、一方側の面５ａの四隅近傍に照明５２、５２、５２、５２を有している。
これら照明５２、５２、５２、５２は、ベース部５の上方で浮揚するローソク部２をそれぞれ斜め下方側から照らす向きに設定されている（図３の（ｂ）参照）。なお、実施の形態にかかる照明５２はＬＥＤを用いているが、これに限定されるものではない。
【００２２】
ここで、ローソク部２は火を灯した状態で使用される（図１、図３の（ｂ）参照）。この場合、火の明かりによって燭台３の底板３５側には影が発生する。さらに、葬儀場内では全体的に照明が暗く設定されていることから、燭台３の底板３５側は一層暗く感じられる。
そうすると、燭台３の底板３５側が見え難くなり、ローソク部２の浮揚感が弱まってしまう。
【００２３】
そこで、照明５２により燭台３の底板３５側を照らすことで、ローソクの火の明かりによる影が発生することを防止できる。
これにより、ローソク部２の全体像を鮮明に映して、ローソク部２の浮揚感をより強調できる。
【００２４】
以上の通り、実施の形態では、
（１）ローソク部２（演出対象物）が載置される磁気ディスク４（磁性体）と、電磁石を備えたベース部５と、を有し、
磁気ディスク４とベース部５との間に発生する磁力によって、ローソク部２をベース部５上で浮揚させる構成とした。
【００２５】
このように構成すると、ローソク部２が空中に浮揚している演出をすることができるので、故人を追悼する上での幻想的な雰囲気を一層効果的に演出することができる。
【００２６】
特に、ローソク部２が磁力によって浮揚している。そのため、ローソク部２に回転力を加えると、ローソク部２の回転に対する抵抗は、空気抵抗のみとなる。
よって、浮揚したローソク部２に回転力を加えると、火が灯されたローソク部２をゆっくりと回転させることができる。
灯された炎の揺らぎは、心を落ち着ける作用を発揮するといわれており、火が灯されたローソク部２が、浮揚した状態でゆっくりと回転していると、葬儀の参加者に、幻想的な雰囲気に加えて、心の安らぎを与えることが期待できる。
【００２７】
（２）ローソク部２は、有底筒状の燭台３（容器）を有しており、
ローソク部２は、燭台３の底板３５が磁気ディスク４と当接している構成とした。
【００２８】
このように構成すると、ベース部５に対するローソク部２の浮揚距離Ｈを最大限確保できる。したがって、遠くの参列者からもローソク部２が浮揚していることを視認し易くなる。
【００２９】
（３）ベース部５には、燭台３を照らす照明５２が設けられている構成とした。
【００３０】
このように構成すると、照明５２が燭台３を底板３５側から照らすので、ローソクの火による影が発生することを防止できる。これにより、燭台３の全体像を鮮明に映して、ローソク部２の浮揚感をより強調することが出来る。
【００３１】
（４）ベース部５は上面視において矩形形状を成しており、
照明５２、５２、５２、５２は、ベース部５の四隅近傍に設けられている構成とした。
【００３２】
このように構成すると、参列者が軸線Ｘ周りの周方向におけるどの角度位置から見ても、ローソク部２が浮揚していることを認識することが出来る。
【００３３】
［変形例］
前記した実施の形態では、ローソク部２を空中に浮揚させることで、葬儀の場において故人を追悼する上での幻想的な雰囲気を一層効果的に演出するイベント用（葬儀用）演出装置１を例示したが、本考案はこの態様にのみ限定されるものではない。
例えば、演出対象物を、ローソク部２の代わりに花瓶２Ａとして、葬儀の場の幻想的な雰囲気を効果的に演出するイベント用演出装置１Ａ（図４の（ａ）参照）としても良い。
また、葬儀以外のイベントにおいて、演出対象物を例えばアロマキャンドル２Ｂとして、イベントの雰囲気を効果的に演出するイベント用演出装置１Ｂとしても良い（図４の（ｂ）参照）。
【００３４】
このようにすることによっても、演出対象物が空中に浮揚することで視覚的に有効な演出をすることができる。よって、各種イベントの雰囲気を一層効果的に演出することができる。
【００３５】
前記した実施の形態では、ローソク部２を磁気ディスク４に載置した状態で、ベース部５の上方で浮揚させる場合を例示した。
ローソク部２の代わりにオイルランプを磁気ディスク４に載置して、オイルランプをベース部５の上方で浮揚させるようにしても良い。
【００３６】
この場合、水平面６ａの外周側に段部Ｄを設けた台座６Ａにおいて、筒状を成す透明なカバーＣを段部Ｄに外嵌して配置して、ベース部５の上方で浮揚するローソク部２やオイルランプを、透明なカバーＣで囲まれた空間内で浮揚させるイベント用演出装置１Ｃとしても良い（図５参照）。
このように構成すると、イベント用演出装置１Ｃが設置された環境下での空気の流れなどの影響が、浮揚するローソク部２やオイルランプに及ぶことを防止できる。よって、例えば炎の揺らぎによる演出効果が損なわれることを好適に防止できる。
【符号の説明】
【００３７】
１、１Ａ、１Ｂ、１Ｃ  イベント用演出装置
２      ローソク部
２Ａ    花瓶
２Ｂ    アロマキャンドル
３      燭台
４      磁気ディスク
５      ベース部
６、６Ａ  台座
２０    固形蝋
３５    底板
３６    周壁部
５２    照明
３５０  凹部
３５１  底面
Ｃ      カバー
Ｈ      浮揚距離
Ｘ      軸線
【図１】
0003212356.tif 000003
【図２】
0003212356.tif 000004
【図３】
0003212356.tif 000005
【図４】
0003212356.tif 000006
【図５】
0003212356.tif 000007